(57)【要約】【課題】新築工事において使用された壁つなぎアンカーを利用しなくても、既存建物に簡単に設置することのできる壁つなぎアンカーおよびその設置方法を提供することである。【解決手段】壁つなぎアンカー１は、鋼棒２の先端部に角形の掛止プレート３が垂れ下がった状態で設置され、後端部には雄ネジ４が設けられ、該雄ネジ４近傍の鋼棒上面には目印５が形成されてなる。【選択図】  図１
2009097294.tif 000002
【特許請求の範囲】
【請求項１】
鋼棒の先端部に角形の掛止プレートが垂れ下がった状態で設置され、後端部には雄ネジが設けられ、該雄ネジ近傍の鋼棒上面には目印が形成されてなることを特徴とする壁つなぎアンカー。
【請求項２】
掛止プレートの下側における前後の角部が斜めに切断されたテーパであることを特徴とする請求項１に記載の壁つなぎアンカー。
【請求項３】
掛止プレートの下側における中央部が上側に向かって切り欠かれてなることを特徴とする請求項１に記載の壁つなぎアンカー。
【請求項４】
既存建物のＡＬＣ板外壁または押し出し成形板外壁と窓のサッシ枠との横目地、またはＡＬＣ板外壁同士または押し出し成形板外壁同士の横目地に横長の差込孔を設け、該差込孔に請求項１〜請求項３の壁つなぎアンカーを、掛止プレートを水平にして差し込んだ後、壁つなぎアンカーを掛止プレートが垂直になるように回転させて、該掛止プレートをＡＬＣ板外壁または押し出し成形板外壁の耐風梁であるＨ形鋼のフランジ間に嵌め合わせた後、差込孔から外側に突出した鋼棒の雄ネジに取り付けた袋ナットで壁つなぎ金物を接続することを特徴とする壁つなぎアンカーの設置方法。
【請求項５】
既存建物のＡＬＣ板外壁または押し出し成形板外壁と窓のサッシ枠との縦目地、またはＡＬＣ板外壁同士または押し出し成形板外壁同士の縦目地に縦長の差込孔を設け、該差込孔に請求項１〜請求項３の壁つなぎアンカーを差し込んで、掛止プレートをＡＬＣ板外壁または押し出し成形板外壁の耐風梁であるＨ形鋼のフランジ間に嵌め合わせた後、差込孔から外側に突出した鋼棒の雄ネジに取り付けた袋ナットで壁つなぎ金物を接続することを特徴とする壁つなぎアンカーの設置方法。
【発明の詳細な説明】
【技術分野】
【０００１】
本願発明は壁つなぎアンカーおよびその設置方法に関するものである。
【背景技術】
【０００２】
ＡＬＣ板外壁を備えた鉄骨造の既存建物の改修工事において、外部足場を壁つなぎで既存建物に設置する場合、従来は、図９の（１）に示すように、既存建物２０の新築工事において使用された壁つなぎアンカー２１を利用していた。すなわち、すでに使用した壁つなぎアンカー２１を探し出し、これに壁つなぎ２２を繋いで外部足場２３を設置していた。またその他の壁つなぎとしては、例えば特開２００６−２０７３０８号の発明が知られている。
【特許文献１】特開２００６−２０７３０８号公報
【発明の開示】
【発明が解決しようとする課題】
【０００３】
しかし、上記のように新築工事において使用された壁つなぎアンカー２１を利用する場合、この壁つなぎアンカー２１の設置位置を確認することができないことがあった。すなわち、壁つなぎアンカー２１がどこに設置されていたのかを探し出すのはほとんど不可能であり、例え、探し出すことができたとしても、図９の（２）に示すように、その壁つなぎアンカー２１がシール材２４などで使用できない場合もあった。
【０００４】
本願発明はこれらの問題に鑑みてなされたものであり、その目的は、新築工事において使用された壁つなぎアンカーを利用しなくても、既存建物に簡単に設置することのできる壁つなぎアンカーおよびその設置方法を提供することである。
【課題を解決するための手段】
【０００５】
以上の課題を解決するための壁つなぎアンカーは、鋼棒の先端部に角形の掛止プレートが垂れ下がった状態で設置され、後端部には雄ネジが設けられ、該雄ネジ近傍の鋼棒上面には目印が形成されてなることを特徴とする。また掛止プレートの下側における前後の角部が斜めに切断されたテーパであることを含む。また掛止プレートの下側における中央部が上側に向かって切り欠かれてなることを含むものである。
また壁つなぎアンカーの設置方法は、既存建物のＡＬＣ板外壁または押し出し成形板外壁と窓のサッシ枠との横目地、またはＡＬＣ板外壁同士または押し出し成形板外壁同士の横目地に横長の差込孔を設け、該差込孔に請求項１〜請求項３の壁つなぎアンカーを、掛止プレートを水平にして差し込んだ後、壁つなぎアンカーを掛止プレートが垂直になるように回転させて、該掛止プレートをＡＬＣ板外壁または押し出し成形板外壁の耐風梁であるＨ形鋼のフランジ間に嵌め合わせた後、差込孔から外側に突出した鋼棒の雄ネジに取り付けた袋ナットで壁つなぎ金物を接続することを特徴とする。
また壁つなぎアンカーの設置方法は、既存建物のＡＬＣ板外壁または押し出し成形板外壁と窓のサッシ枠との縦目地、またはＡＬＣ板外壁同士または押し出し成形板外壁同士の縦目地に縦長の差込孔を設け、該差込孔に請求項１〜請求項３の壁つなぎアンカーを差し込んで、掛止プレートをＡＬＣ板外壁または押し出し成形板外壁の耐風梁であるＨ形鋼のフランジ間に嵌め合わせた後、差込孔から外側に突出した鋼棒の雄ネジに取り付けた袋ナットで壁つなぎ金物を接続することを特徴とする。
【発明の効果】
【０００６】
目地を利用して壁つなぎアンカーを設置することができるので、新築工事の時に使用した壁つなぎアンカーを探し出すことができなくても、外壁面を損傷させずに外部足場を設置することができる。また壁つなぎアンカーを簡単な操作で耐風梁に設置する（引っ掛ける）ことができる。また差込孔から突出した鋼棒の雄ネジに袋ナットを取り付けるだけで、簡単に壁つなぎを接続することができる。
【発明を実施するための最良の形態】
【０００７】
以下、本願発明の壁つなぎアンカーおよびその設置方法について説明する。はじめに壁つなぎアンカーについて説明し、次に、その設置方法について説明するが、各実施の形態において同じ構成は同じ符号を付して説明し、異なった構成にのみ異なった符号を付して説明する。
【０００８】
図１は第１の実施の形態の壁つなぎアンカー１である。この壁つなぎアンカー１は、適宜長さの丸鋼などの鋼棒２の先端部に長方形の掛止プレート３が溶接され、後端部には雄ネジ４が形成され、該雄ネジ近傍の鋼棒上面にケガキ線による目印５が形成された構成である。
【０００９】
掛止プレート３は、後述するＡＬＣ板の耐風梁であるＨ形鋼のフランジ間に嵌め合わされるものであり、長方形の鋼製プレートが鋼棒２の先端部に垂れ下がった状態で溶接されている。この掛止プレート３は厚さ６ｍｍで、耐風梁であるＨ形鋼のフランジ間に嵌合可能な長さを備えている。この長さは耐風梁であるＨ形鋼のフランジ間を、事前に設計図面や実測で確認して設定するものであり、フランジ間の内法寸法の−２ｍｍ程度とする。このように掛止プレート３が鋼棒２に垂れ下がって溶接されているため、その重さによって掛止プレート３が常に垂直になるようになっている。
【００１０】
またケガキ線による目印５は、掛止プレート３が垂直になった状態の鋼棒２の上面に形成されたものであり、掛止プレート３が垂直になるということは、耐風梁のフランジ間に嵌合されたことであり、これが目印を目視することにより確認できるようになっている。
【００１１】
また図２は第２の実施の形態の壁つなぎアンカー６である。この壁つなぎアンカー６は、掛止プレート３下側の前後の角部を切断してテーパ７を形成したものであり、これ以外は第１の実施の形態の壁つなぎアンカー１と同じ構成である。この掛止プレート３下側の先後端に設けたテーパ７によって、掛止プレート３が耐風梁のフランジ間に嵌合し易くなり、Ｈ形鋼のフランジ間の内法寸法に柔軟に対応することができ、耐風梁の錆び止め塗装の塗りムラや施工誤差による入れ難さに対しても有効であり、上記のようなフランジ間の内法寸法の−２ｍｍという加工も不要になる。
【００１２】
また図３は第３の実施の形態の壁つなぎアンカー８である。この壁つなぎアンカー８は、掛止プレート３下側の中央部が上側に向かって切り欠かれて逆凹溝９が形成されたものであり、これ以外は第１の実施の形態の壁つなぎアンカー１と同じ構成である。この逆凹溝９により掛止プレート３が軽量になって取り扱いが簡単になる。
【００１３】
次に、図４〜図８に基づいて壁つなぎアンカーの設置方法について説明する。この壁つなぎアンカーが設置される既存建物１０はＡＬＣ板外壁（または押し出し成形板外壁）１１および耐風梁１２を備えた鉄骨造であり、ＡＬＣ板外壁１１と窓のサッシ枠１３との横目地１４または縦目地１５、およびＡＬＣ板外壁１１同士の横目地１４または縦目地１５を利用して設置するものである。
【００１４】
図４は第１の実施の形態の壁つなぎアンカーの設置方法であり、ＡＬＣ板外壁１１と窓のサッシ枠１３との横目地１４を利用して設置するものである。はじめに、予め設計図面や実測で既存建物１０における耐風梁１２の位置を確認するとともに、Ｈ形鋼のフランジ間１６の内法寸法を計測し、この内法寸法の−２ｍｍ程度の長さの掛止プレート３を備えた壁つなぎアンカー１を形成する。
【００１５】
次に、この掛止プレート３を差し込める横長の差込孔１７をＡＬＣ板外壁１１と窓のサッシ枠１３との横目地１４に開口する。この差込孔１７が開口された箇所には、図５に示すように、Ｈ形鋼の耐風梁１２が設置されている。すなわち、この耐風梁１２が設置された付近の横目地１４に差込孔１７を開口するものである。
【００１６】
次に、図６に示すように、この差込孔１７に壁つなぎアンカー１を、掛止プレート３を水平にして差し込み、この掛止プレート３が耐風梁のフランジ間１６に位置すると、その自重によって垂直に回転して耐風梁のフランジ間１６に嵌合される。このように掛止プレート３が回転するということは、これが耐風梁のフランジ間１６に嵌合されるということであり、目印５であるケガキ線が上側に位置することになる。したがって、掛止プレート３が耐風梁のフランジ間１６に嵌合されたかどうかは上側に位置した目印５を目視することで確認することができる。
【００１７】
一方、壁つなぎアンカー１を差込孔１７に差し込んでも、掛止プレート３が回転せずに目印５が上側に来ない場合は、掛止プレート３が耐風梁のフランジ間１６に位置していないため、壁つなぎアンカー１を押し込むか、手前側に引いて回転できる位置を探す。そして、壁つなぎアンカー１の回転できる位置が、掛止プレート３を耐風梁のフランジ間１６に嵌合できる位置であり、目印５を目視することによって確認する。
【００１８】
次に、この掛止プレート３を耐風梁のフランジ間１６に嵌合した後、差込孔１７から外側に突出した鋼棒２の雄ネジ４に袋ナット１８を取り付ける。そして、この袋ナット１８に壁つなぎ金物（図示せず）を接続して外部足場を設置する。
【００１９】
また図７は第２の実施の形態の壁つなぎアンカーの設置方法であり、ＡＬＣ板外壁１１と窓のサッシ枠１３との縦目地１５を利用して設置するものである。この場合も、前記と同じように、予め設計図面や実測で既存建物１０における耐風梁１２の位置を確認するとともに、Ｈ形鋼のフランジ間１６の内法寸法を計測し、この内法寸法の−２ｍｍ程度の長さの掛止プレート３を備えた壁つなぎアンカー１を形成しておく。
【００２０】
次に、この掛止プレート３を差し込める縦長の差込孔１７をＡＬＣ板外壁１１と窓のサッシ枠１３との縦目地１５、またはＡＬＣ板外壁１１同士の縦目地１５に開口する。この差込孔１７が開口された箇所にはＨ形鋼の耐風梁１２が設置されている。
【００２１】
次に、この差込孔１７に壁つなぎアンカー１を差し込んで、この掛止プレート３が耐風梁のフランジ間１６に位置すると、壁つなぎアンカー１が落下して掛止プレート３が耐風梁のフランジ間１６に嵌合される。一方、壁つなぎアンカー１を差込孔１７に差し込んでも落下しない（下がらない）場合は、掛止プレート３が耐風梁のフランジ間１６に位置していないため、壁つなぎアンカー１を押し込むか、手前側に引いて落下できる位置を探す。そして掛止プレート３が落下できる位置が耐風梁のフランジ間１６に嵌合できる位置であり、この位置を探し当てたら掛止プレート３を耐風梁のフランジ間１６に嵌合する。
【００２２】
次に、このように掛止プレート３を耐風梁のフランジ間１６に嵌合した後、差込孔１７から外側に突出した鋼棒の雄ネジ４に袋ナット１８を取り付ける。そして、この袋ナット１８に壁つなぎ金物（図示せず）を接続して外部足場を設置する。
【００２３】
また図８は第３の実施の形態の壁つなぎアンカーの設置方法であり、第２の実施の形態の壁つなぎアンカー６を使用する以外は、第１および第２の実施の形態の設置方法と同じ構成である。この設置方法においては、掛止アンカー６がテーパ７によって耐風梁のフランジ間１６に嵌合し易くなっているため、予めＨ形鋼のフランジ間１６の内法寸法を計測し、この内法寸法の−２ｍｍ程度の長さの掛止プレートを形成する必要はない。
【００２４】
なお、上記の第３の実施の形態の壁つなぎアンカー８も、上記の第１および第２の実施の形態の設置方法に適用することができる。
【図面の簡単な説明】
【００２５】
【図１】第１の実施の形態の壁つなぎアンカーであり、（１）は正面図、（２）は同平面図である。
【図２】第２の実施の形態の壁つなぎアンカーの正面図である。
【図３】第３の実施の形態の壁つなぎアンカーの正面図である。
【図４】第１の実施の形態の壁つなぎアンカーの設置方法の平面図である。
【図５】第１の実施の形態の壁つなぎアンカーの設置方法の断面図である。
【図６】第１の実施の形態の壁つなぎアンカーの設置方法の断面図である。
【図７】第２の実施の形態の壁つなぎアンカーの設置方法の断面図である。
【図８】第３の実施の形態の壁つなぎアンカーの設置方法の断面図である。
【図９】（１）および（２）は従来の壁つなぎアンカーの設置方法の断面図である。
【符号の説明】
【００２６】
１、６、８、２１  壁つなぎアンカー
２  鋼棒
３  掛止プレート
４  雄ネジ
５  目印
７  テーパ
９  逆凹溝
１０、２０  既存建物
１１  ＡＬＣ板外壁
１２  耐風梁
１３  窓のサッシ枠
１４  横目地
１５  縦目地
１６  フランジ間
１７  差込孔
１８  袋ナット
２３  外部足場
２４  シール材
【図１】
2009097294.tif 000003
【図２】
2009097294.tif 000004
【図３】
2009097294.tif 000005
【図４】
2009097294.tif 000006
【図５】
2009097294.tif 000007
【図６】
2009097294.tif 000008
【図７】
2009097294.tif 000009
【図８】
2009097294.tif 000010
【図９】
2009097294.tif 000011